(57)【要約】      （修正有）【課題】墓誌や塔婆立てを竿石に一体化でき、墓地の省スペース化に一層寄与できる洋型墓石を提供する。【解決手段】洋型墓石１０は、竿石構造１と、竿石構造が建てられる下部構造９とからなる洋型墓石であって、竿石構造は、中央部２と、中央部の左右にそれぞれ設けられた脇部３Ｌ、３Ｒとからなり、脇部は、可動板５Ｌ、５Ｒを収容する基体４と、基体に着脱可能に嵌め込んで収容される可動板からなる構成とする。【選択図】図１
0003233786.tif 000002
【実用新案登録請求の範囲】
【請求項１】
竿石構造と該竿石構造が建てられる下部構造とからなる洋型墓石であって、該竿石構造は、中央部と、該中央部の左右にそれぞれ設けられた脇部とからなり、該脇部は、後記可動板を収容する基体と、該基体に着脱可能に嵌め込んで収容される一または複数の可動板からなることを特徴とする、洋型墓石。
【請求項２】
前記基体には、前記可動板をスライド式に横方向から着脱するための案内構造が設けられていることを特徴とする、請求項１に記載の洋型墓石。
【請求項３】
前記中央部および左右の両脇部は、前面において面一になるよう形成されていることを特徴とする、請求項１、２のいずれかに記載の洋型墓石。
【請求項４】
前記可動板の少なくとも一枚は墓誌として用いられることを特徴とする、請求項１、２、３のいずれかに記載の洋型墓石。
【請求項５】
前記可動板の少なくとも一枚は墓誌以外の彫刻用として用いられることを特徴とする、請求項１、２、３、４のいずれかに記載の洋型墓石。
【請求項６】
前記竿石構造に塔婆立てが設けられていることを特徴とする、請求項１、２、３、４、５のいずれかに記載の墓石。
【請求項７】
前記塔婆立ては一の前記脇部に下部構造と連通して設けられていることを特徴とする、請求項６に記載の洋型墓石。
【請求項８】
前記中央部が、中央部基体と該中央部基体に嵌め込んで収容されている竿石本体とからなることを特徴とする、請求項１、２、３、４、５、６、７のいずれかに記載の洋型墓石。
【請求項９】
前記中央部基体と前記各脇部を構成する基体とは一体に形成されていることを特徴とする、請求項８に記載の洋型墓石。
【考案の詳細な説明】
【技術分野】
【０００１】
本考案は洋型墓石に係り、特に墓誌や塔婆立てを竿石に一体化可能な洋型墓石の構造に関する。
【背景技術】
【０００２】
墓石の設置においては、塔婆立てや墓誌は墓石本体（竿石）とは別に設置されるのが通常である。これは洋型墓石においても同様である。
図１２は、従来の洋型墓石の構成例を示す斜視図である。図示するように従来の洋型墓石９１０は、囲い９８が設けられた墓地の中央に竿石構造９１やこれに付属する芝台等の下部構造９９が設置され、墓誌９５は竿石構造９１の側部あるいは後方に、そして塔婆立て９６は竿石構造９１の後方に、それぞれ設置されて構成されるのが通常である。しかし、それぞれの要素を別々に設置するには相応の面積が必要であり、省スペース化への取り組みは有意義である。
【０００３】
墓石における省スペース化技術に関しては従来、複数の特許出願等もなされている。たとえば後掲特許文献１には、墓石と霊柱を一体化して墓石だけの設置スペースで塔婆立てまで設置できる構造とすることを目的として、墓石本体の地面と接している下台に溝を設け、塔婆立てに設けたほぞを墓石本体の溝にはめ込むように設置する構成が開示されている。
【０００４】
また特許文献２には、耐震性、耐久性、墓地への設置性に優れた洋型墓石として、竿石とその下に配置される台石とを一塊の石材から切り出すことによって、竿石と台石が切れ目無く一体化した構造であり、竿石は左右対称の四角錐台形状である洋型墓石が開示されている。
【先行技術文献】
【特許文献】
【０００５】
【特許文献１】実用新案登録第３０６４５１２号公報「塔婆立て一体型墓石」
【特許文献２】実用新案登録第３１５８５５９号公報「洋型墓石」
【考案の概要】
【考案が解決しようとする課題】
【０００６】
上記文献１開示技術は、竿石と塔婆立ての一体化はなされているものの、墓誌の一体化はなされていない構造である。竿石に墓誌が一体化した構造であれば、その分の省スペースになる。さらに塔婆立ても一体化できれば、効果はさらに大きい。
【０００７】
また、墓はそもそも、先祖代々続く一つの家において子孫により祀られ、管理されるものであったが、少子高齢化や家族形態の多様化によって、墓に対するニーズは今後多様化していくものと予想される。たとえば、二つの家の先祖を一つの墓によって祀りたいというニーズもあり、これに応えられる墓石が望まれる。
【０００８】
また、墓誌には、祀るべき他界者が出るたびに彫刻を加えるのだが、墓地においてその作業を行うのは作業性が必ずしもよくない。一方、墓誌を墓地から取り外して別の場所で彫刻作業し、その後再設置を行うことには、取り外し・再設置の煩雑さが伴う。墓誌への彫刻追加作業における効率を高めること、煩雑さを低減することも求められる。
【０００９】
また、墓誌以外の絵や語句などの彫刻を、「・・・家先祖代々之墓」という銘の彫刻される竿石とは別に、しかし別途スペースを要することなく誂えることができる構造があれば、墓石のデザイン範囲を拡大でき、需要者に提供できる。さらに、事後に外して取り替えることも容易であれば、なおよい。
【００１０】
そこで本考案が解決しようとする課題は、かかる従来技術の状況を踏まえ、墓誌を竿石に一体化できて、墓地の省スペース化に寄与できる洋型墓石を提供することである。また、墓誌に加えて塔婆立てをも一体化でき、墓地の省スペース化に一層寄与できる洋型墓石を提供することである。また、これらの一体化により、墓全体にすっきりとした清新な外観や雰囲気を付与することのできる洋型墓石を提供することである。
【００１１】
さらに本考案の課題は、複数の家の先祖を一つの墓によって祀ることのできる洋型墓石、墓誌への彫刻追加作業における効率を高め、煩雑さを低減できる洋型墓石、  墓誌以外の絵や語句などの付随的彫刻を、「・・・家先祖代々之墓」という銘の彫刻される竿石とは別に、しかし墓地内に別途スペースを要することなく誂えることができる洋型墓石、そのような付随的彫刻を設置後に外して取り替えることも容易な洋型墓石を提供することである。
【課題を解決するための手段】
【００１２】
考案者は上記課題について検討した結果、竿石を中央部としてその両脇には墓誌等に用いることのできる石板を着脱可能な、一体型の竿石構造とすること、さらに竿石構造の背面部には塔婆立てを一体に設けられた構造とすることに想到し、それに基づいて本考案を完成するに至った。すなわち、上記課題を解決するための手段として本願で実用新案登録請求される考案、もしくは少なくとも開示される考案は、以下の通りである。
【００１３】
〔１〕  竿石構造と該竿石構造が建てられる下部構造とからなる洋型墓石であって、該竿石構造は、中央部と、該中央部の左右にそれぞれ設けられた脇部とからなり、該脇部は、後記可動板を収容する基体と、該基体に着脱可能に嵌め込んで収容される一または複数の可動板からなることを特徴とする、洋型墓石。
〔２〕  前記基体には、前記可動板をスライド式に横方向から着脱するための案内構造が設けられていることを特徴とする、〔１〕に記載の洋型墓石。
〔３〕  前記中央部および左右の両脇部は、前面において面一になるよう形成されていることを特徴とする、〔１〕、〔２〕のいずれかに記載の洋型墓石。
〔４〕  前記可動板の少なくとも一枚は墓誌として用いられることを特徴とする、〔１〕、〔２〕、〔３〕のいずれかに記載の洋型墓石。
【００１４】
〔５〕  前記可動板の少なくとも一枚は墓誌以外の彫刻用として用いられることを特徴とする、〔１〕、〔２〕、〔３〕、〔４〕のいずれかに記載の洋型墓石。
〔６〕  前記竿石構造に塔婆立てが設けられていることを特徴とする、〔１〕、〔２〕、〔３〕、〔４〕、〔５〕のいずれかに記載の墓石。
〔７〕  前記塔婆立ては一の前記脇部に下部構造と連通して設けられていることを特徴とする、〔６〕に記載の洋型墓石。
〔８〕  前記中央部が、中央部基体と該中央部基体に嵌め込んで収容されている竿石本体とからなることを特徴とする、〔１〕、〔２〕、〔３〕、〔４〕、〔５〕、〔６〕、〔７〕のいずれかに記載の洋型墓石。
〔９〕  前記中央部基体と前記各脇部を構成する基体とは一体に形成されていることを特徴とする、〔８〕に記載の洋型墓石。
【考案の効果】
【００１５】
本考案の洋型墓石は上述のように構成されるため、これによれば、墓誌を竿石に一体化できたり、また墓誌に加えて塔婆立てをも一体化できることにより、省スペース化することができる。また、これらの一体化により、墓全体にすっきりとした清新な外観や雰囲気を付与することができる。
【００１６】
本考案洋型墓石によればまた、複数の家の先祖を一つの墓によって祀ることができる上、墓誌への彫刻追加作業における効率を高め、煩雑さを低減することができる。また、墓誌以外の絵や語句などの付随的彫刻を、「・・・家先祖代々之墓」という銘の彫刻される竿石とは別に、しかし墓地内に別途スペースを要することなく誂えることができる。そして、そのような付随的彫刻も墓誌も、設置後に取り替えることも容易に行うことができる。
【図面の簡単な説明】
【００１７】
【図１】本考案洋型墓石の基本構成を示す斜視図である。
【図２】本考案洋型墓石の実施例を示す斜視図である。
【図３】図２に示す実施例の右側面図（図中（ａ））、正面図（図中）（ｂ））、右上後方からの斜視図（図中（ｃ））、平面図（図中（ｄ））である。
【図４】図２に示す実施例の斜視写真図である。
【図５】実施例により本考案洋型墓石の案内構造を示す写真図である（下部）。
【図６】実施例により本考案洋型墓石の案内構造を示す写真図である（上部）。
【図７】実施例により本考案洋型墓石における可動板の着脱方法を示す写真図である。
【図８】本考案洋型墓石の使用例（その１）を示す正面図である。
【図９】本考案洋型墓石の使用例（その２）を示す正面図である。
【図１０】実施例により本考案洋型墓石の塔婆立てを左上後方から示す写真図である。
【図１１】本考案洋型墓石の基体構造の例を示す正面図である。
【図１２】従来の洋型墓石の構成例を示す斜視図である。
【００１８】
以下、図面により本考案を詳細に説明する。
図１は、本考案洋型墓石の基本構成を示す斜視図である。図示するように本洋型墓石１０は、竿石構造１と、竿石構造１が建てられる下部構造９とからなる洋型墓石であって、竿石構造１は、中央部２と、中央部２の左右にそれぞれ設けられた脇部３Ｌ、３Ｒとからなり、脇部３Ｌ、３Ｒは、後記可動板５Ｌ、５Ｒを収容する基体４と、基体４に着脱可能に嵌め込んで収容される可動板５Ｌ、５Ｒからなることを、主たる構成とする。可動板５Ｌ等は、その前面を用いての墓誌等として用いることができる。可動板５Ｌ、５Ｒはいずれも、一枚のみであってもよいし、二枚以上であってもよいが、本図を含め、一つの脇部当り一枚の可動板が備えられる構成を主として説明する。なお、竿石構造１、下部構造９ともに、石材により構成し得ることは言うまでもない。
【００１９】
かかる構成の本考案洋型墓石１０はすなわち、竿石として機能できる中央部２と、墓誌等として機能できる可動板５Ｌ、５Ｒの設置される脇部３Ｌ、３Ｒとが、一体となった竿石構造１として下部構造９の上に設けられる構成である。したがって、竿石と墓誌とが一つにまとまった一体型墓石として提供されることができ、墓地の省スペース化に寄与できるとともに、墓全体にすっきりとした清新な外観や雰囲気を付与することができる。
【００２０】
また、脇部３Ｌ、３Ｒの基体４に嵌め込み収容される可動板５Ｌ、５Ｒは、基体４に着脱可能であるため、たとえばこれを墓誌として用いる場合に、墓誌への彫刻追加作業が必要となった場合には、これを基体４から容易に取り外し、彫刻作業をしやすい環境にて彫刻を施し、墓誌の追加彫刻が完了した可動板５Ｌ等は再び基体４に容易に嵌め込み設置することができる。したがって、墓誌追加作業の作業性、効率を高め、墓地からの墓誌の撤去と再設置の煩雑さを低減することができる。
【００２１】
なお、図８等により追って説明するように、可動板５Ｌ等は墓誌以外の彫刻がなされたものであってもよい。たとえば「・・・家先祖代々之墓」という銘とは別の、絵や語句などの付随的彫刻である。このような付随的彫刻も墓誌と同様に可動板５Ｌ等に施されたものであるため、設置後の脱着、取り替えが容易である。
【００２２】
中央部２は、両脇部３Ｌ、３Ｒにおける基体４−可動板５Ｌ（５Ｒ）のような、基体とそれに嵌め込み収容される板からなる組み合わせ構造としてもよいし、従来の竿と石同様に単純に石材そのものとしてもよい。組み合わせ構造とする場合、中央部２の竿石をなす板は、収容された後固定されて容易には取り外せない構造としても、あるいは可動板５Ｌ等のように容易に着脱可能な構造としてもよい。なお、中央部２は、墓碑銘等が彫刻されて墓石の竿石を担う部分であり、容易には取り外せない構造とすることがより望ましい。
【００２３】
図２は、本考案洋型墓石の実施例を示す斜視図である。また、
図３は、図２に示す実施例の右側面図（図中（ａ））、正面図（図中）（ｂ））、右上後方からの斜視図（図中（ｃ））、平面図（図中（ｄ））である。これらに図示するように本考案洋型墓石２１０は、その竿石構造１１における両脇部２３Ｌ、２３Ｒの可動板２５Ｌ、２５Ｒ、および中央部２２の前面をなす竿石本体２８とが面一に形成されており、あたかも三面鏡のような特徴的な外観を呈する。墓誌の機能が、竿石本体２８と隣接して収容される可動板２５Ｌ等によって担われ、全体として統一された、すっきりした印象の外観である。なお、本実施例２１０の中央部２２は、基体２４と竿石本体２８から構成される構造であるが、かかる構造については追って説明を加える。
また、図４は、図２に示す実施例の斜視写真図である。写真図では、可動板などに本考案とは無関係の周囲景が映り込んでいる場合がある。以降の写真図でも同様である。
【００２４】
図５、６は、実施例により本考案洋型墓石の案内構造を示す写真図であり、前者は下部、後者は上部の構造を示す。これらに示すように本洋型墓石２１０は、その基体２４に、可動板２５Ｒ等をスライド式に横方向から着脱するための案内構造２６Ｂ、２６Ｃが設けられている構成とすることができる。案内構造２６Ｂは下部の、案内構造２６Ｃは上部の案内構造である。
【００２５】
下部の案内構造２６Ｂは、可動板２５Ｒ等がスライド式に横方向に移動できるようなレールの構造である。図では断面形状が三角型のレールであるが、形状はこれに限定されない。なお、可動板２５Ｒ等の下縁には、案内構造２６Ｂの断面形状と対応した形状の構造が設けられることとする。一方、上部の案内構造２６Ｃは、可動板２５Ｒ等が前方に倒れないようにその上縁を抑える断面形状フック状の構造とすればよい。このフック形状も、図示する形状には限定されない。
【００２６】
かかる構成により本洋型墓石２１０では、可動板２５Ｒ等が、案内構造２６Ｃによってその上部を前方から支持された状態で、基体２４の案内構造２６Ｂによってその下部を案内されて、基体２４の前面における横方向のスライドによる移動が円滑に、かつ安定した状態でなされる。これにより可動板２５Ｒ等は、脇部２３Ｒ等において基部２４に容易に着脱され得る。なお、図５では案内構造２６Ｂ上に載っているのは竿石本体２８であり、竿石本体２８もこのように可動する板とする構成をとり得る。
【００２７】
案内構造２６Ｂ等により、竿石構造２１における墓誌等が彫刻された可動板２５Ｒ等の出し入れが容易に行える。したがって、墓誌への彫刻追加が必要な場合には可動板２５Ｒ等を竿石構造２１からスライドさせて取り外し、作業しやすい場所で彫刻作業を行い、また洋型墓石２１０に取り付けることが、簡単に行える。その他、墓誌や付随的彫刻の入れ替え、左右の配置替えなどの場合にも便利である。
【００２８】
図７は、実施例により本考案洋型墓石における可動板の着脱方法を示す写真図である。図では、基体２４に既に竿石本体２８が収容され、可動板２５Ｒが収容途中の状況を示す。図５等により説明した案内構造２６Ｂ、２６Ｃによって可動板２５Ｒは円滑に基体２４に対して出し入れが可能である。
【００２９】
図８は、本考案洋型墓石の使用例（その１）を示す正面図である。本使用例３１０は、右の可動板３５Ｒは墓誌として、左の可動板３５Ｌは花の図柄を用いた絵の彫刻として用いられている例である。中央部３２の竿石本体３８は、墓碑銘「鈴木家」が彫刻されている竿石である。このように本考案墓石３１０は、可動板３５Ｒ等の少なくとも一枚は墓誌として用いるものとすることができる。
【００３０】
墓誌としている可動板３５Ｒは、墓誌追加の場合に洋型墓石３１０から簡単に取り外し、墓誌追加作業の後、また取り付けることも簡単に行える。また、本使用例における可動板３５Ｌのように、少なくとも一枚は墓誌以外の彫刻用として用いるものとすることができる。絵の他に、「絆」、「感謝」、「まごころ」、「寂」、「いつまでも忘れない」といった言葉や文章の彫刻に可動板３５Ｒ等を用いてもよい。また、全ての可動板３５Ｒ等を墓誌以外の彫刻用としてもよい。
【００３１】
図９は、本考案洋型墓石の使用例（その２）を示す正面図である。本使用例４１０は、竿石機能を有する中央部４２の前面は、「〇〇家」といった墓碑銘ではなく「感謝」の文字の彫刻に用いられ、左右の可動板４５Ｌ、４５Ｒはそれぞれ、鈴木家の墓誌、山田家の墓誌として用いられている。このように本洋型墓石４１０は、二つの家の先祖を一つの墓で祀るのにも便利である。
【００３２】
図１０は、実施例により本考案洋型墓石の塔婆立てを左上後方から示す写真図である。前出図１等にも示したが、本実施例２１０でも示すように本洋型墓石２１０は、その竿石構造２１に塔婆立て２７が設けられた構成とすることができる。図では、脇部２３Ｌに係る基体２４に、３ヶ所の貫通孔構造からなる塔婆立て２７が設けられている例を示すが、かかる形態には限定されない。
【００３３】
かかる構成の本考案洋型墓石１０は、竿石として機能できる中央部２２と、墓誌等として機能できる可動板２５Ｌ、２５Ｒの設置される脇部２３Ｌ、３３Ｒとが、一体となった竿石構造２１として下部構造２９の上に設けられ、さらに塔婆立て２７も竿石構造２１中に一体に設けられる構成である。したがって、竿石と墓誌と塔婆立てが一つにまとまった一体型墓石として提供されることができ、墓地の省スペース化に寄与できるとともに、墓全体にすっきりとした清新な外観や雰囲気を付与することができる。
【００３４】
図示するように塔婆立て２７は、脇部２３Ｌが載っている下部構造２９と連通している構造とすることができる。つまり、塔婆立て２７は基体２４を上下方向に貫通する貫通孔構造であり、その下の下部構造２９へと連なる。下部構造２９には、塔婆立て２７に挿入された塔婆を受け止める孔構造である塔婆受け２７Ｂを設けることができる。また下部構造２９には、塔婆受け２７Ｂの清掃等の管理のため、切り欠き部２７Ｋを設けることができる。
【００３５】
前出図２等により説明したように本考案洋型墓石２１０は、中央部２２が、中央部基体２４と該中央部基体２４に嵌め込んで収容されている竿石本体２８とからなる構成とすることができる。この場合、基体２４は、脇部２３Ｌ、２３Ｒの基体２４、２４（符号が同一ではあるが）とは別体として構成してもよいし、あるいは一体の基体として構成してもよい。
【００３６】
図１１は、一体の基体を備えた本考案洋型墓石の基体構造の例を示す正面図である。本例洋型墓石５１０では、中央部基体と各脇部を構成する基体とは、一体の基体５４である。かかる構成も本考案の範囲内である。
【００３７】
以上、本洋型墓石を構成する可動板が一つの脇部あたり一枚のみであるパターンについて説明した。そして、かかるパターンが本考案が主に想定する構成である。しかしながら、一つの脇部あたり可動板が二枚以上である構成も、本考案からは除外されない。たとえば、左脇部には墓誌Ｂ、絵柄による付随的彫刻、中央部を挟んで右脇部には墓誌Ａがそれぞれ可動板に彫刻されるような例も、本考案の範囲内である。
【産業上の利用可能性】
【００３８】
本考案の洋型墓石によれば、墓誌や塔婆立てを竿石に一体化でき、省スペースになるとともに、墓全体にすっきりとした清新な外観や雰囲気を付与することができる。また、複数の家の先祖を一つの墓によって祀ること、墓誌への彫刻追加作業における煩雑さ低減など利点が多い。したがって、墓石製造・使用分野、および関連する全分野において、産業上利用性が高い考案である。
【符号の説明】
【００３９】
１、２１、３１、４１、５１…竿石構造
２、２２、３２、４２、５２…中央部
３Ｌ、３Ｒ、２３Ｌ、２３Ｒ、３３Ｌ、３３Ｒ、４３Ｌ、４３Ｒ、５３Ｌ、５３Ｒ…脇部
４、２４、５４…基体
５Ｌ、５Ｒ、２５Ｌ、２５Ｒ、３５Ｌ、３５Ｒ、４５Ｌ、４５Ｒ…可動板
７、２７…塔婆立て
９、２９、３９、４９、５９…下部構造
１０、２１０、３１０、４１０、５１０…洋型墓石
２６Ｂ、２６Ｃ、３６Ｃ、４６Ｃ、５６Ｂ、５６Ｃ…案内構造
２７Ｂ…塔婆受け
２７Ｋ…切り欠き部
（以下は従来技術の図面に係る符号）
９１…竿石構造
９５…墓誌
９６…塔婆立て
９８…囲い
９９…下部構造
９１０…洋型墓石
【図１】
0003233786.tif 000003
【図２】
0003233786.tif 000004
【図３】
0003233786.tif 000005
【図４】
0003233786.tif 000006
【図５】
0003233786.tif 000007
【図６】
0003233786.tif 000008
【図７】
0003233786.tif 000009
【図８】
0003233786.tif 000010
【図９】
0003233786.tif 000011
【図１０】
0003233786.tif 000012
【図１１】
0003233786.tif 000013
【図１２】
0003233786.tif 000014